(57)【要約】【課題】  輸送箱装置が可変に構成されるようにこの輸送箱装置を改良する。【解決手段】  特に乗用自動車の座席背もたれ側又は荷物室に取付けるため、例えば貫通箱装置のような車両用輸送容器装置は、少なくとも１つの導入通路を区画する車両固定保持枠を持ち、スキー袋等のような輸送容器の取付け枠が導入開口を通って導入通路へ差込み可能であり、取付け枠が取付け位置で保持枠に取外し可能に固定可能であり、輸送容器が蓋素子を持ち、演奏操作卓、ＤＶＤプレーヤ、コップ保持体等のような機能装置が蓋素子に付属している。【選択図】  図４
2005145456.tif 000002
【特許請求の範囲】
【請求項１】
車両用輸送容器装置（１０）であって、車両に固定した保持枠（１１）を持ち、この保持枠が少なくとも１つの導入通路を区画し、輸送容器（３６）の取付け枠（１５）が、導入通路の導入口を通ってこの導入通路へ差込み可能であり、取付け枠（１５）が取付け位置において保持枠（１１）に取外し可能に固定可能であり、輸送容器（３６）が蓋素子（２８）を持ち、この蓋素子に機能装置が付属している、輸送容器装置。
【請求項２】
輸送容器（３６）の内部空間（３７）が蓋素子（２８）により閉鎖可能であることを特徴とする請求項１に記載の輸送容器装置。
【発明の詳細な説明】
【技術分野】
【０００１】  本発明は、車両用輸送容器装置に関する。
【背景技術】
【０００２】  車両用輸送容器装置はドイツ連邦共和国特許出願公開第１０１３２０８１号明細書から公知である。その図に示されている実施例によれば、それは後部座席背もたれに取付けるための貫通箱装置である。輸送容器はスキー袋収容モジュールとして構成され、折畳まれたスキー袋の収容空間を持っている。【０００３】  輸送容器は実質的に直方体状に構成され、車両側に固定された保持枠にある実質的に長方形の導入開口を通してこの中へ導入可能である。保持枠は、軸線方向に短く形成される導入通路を与える。導入運動は実質的に揺動運動であり、保持枠の材料範囲及び取付け枠の材料範囲は、一緒になって揺動支持体を形成している。取付け枠の基部範囲にはストッパ面Ａが設けられ、取付け枠が取付け位置にあると、保持枠側の相手ストッパＧＡと共同作用する。取付け枠の頭部範囲即ち上部横枠辺の範囲には、手で移動可能な掛け金素子が設けられ、この掛け金素子により輸送容器が、その取付け枠により車両側の保持枠に取外し可能に固定可能である。
【発明の開示】
【発明が解決しようとする課題】
【０００４】  従来技術の輸送容器装置は、多様な使用において有効なことがわかった。しかし可変に構成されるように公知の輸送容器装置を発展させる必要、従って本発明の基礎になっている課題がある。
【課題を解決するための手段】
【０００５】本発明は、請求項１の特徴によってこの課題を解決する。【０００６】これによれば、例えば特に乗用自動車における座席背もたれ側又は荷物空間壁側取付けのための貫通箱装置のような車両用輸送箱装置が提供され、車両に固定されて少なくとも１つの導入通路を区画する保持枠を持ち、スキー袋等のような輸送容器の取付け枠が、導入開口を通して導入通路へ差込み可能であり、取付け位置において取付け枠が保持枠に取外し可能に固定可能であり、輸送容器が蓋素子を持ち、演奏操作卓、ＤＶＤプレーヤ、コップ保持体等のような機能装置が蓋素子に付属している。【０００７】  従って本発明の原理は、大体において、ドイツ連邦共和国特許出願公開第１０１３２０８１号明細書から公知のモジュールを発展させて、蓋素子が任意の機能装置用の担板として構成されるか、又はこのような担板の取付けに用いられるようにすることである。こうして機能装置例えばコップ保持体を蓋素子に固定的に結合し、蓋素子が揺動可能に構成されている場合、機能装置を蓋素子と共に揺動させることができる。こうして、機能装置は、例えば車両の乗客空間の乗客が自由に接近可能な使用位置と、輸送容器の内部空間にある保管位置との間で、快適に移動可能である。【０００８】  機能装置は、蓋素子に移動可能に設けることもできる。例えば機能装置用レール装置又は揺動装置のように蓋素子にある機能装置用移動装置が問題となる。【０００９】  有利なように特に取付け枠の輸送容器に移動可能な掛け金素子が付属し、この掛け金素子が保持枠と共同作用し、こうして輸送容器を保持枠に取外し可能に固定することができる。【００１０】  有利なように、輸送容器の内部空間が蓋素子により閉鎖可能である。これにより輸送容器装置の特に簡単な構成及び取扱いが可能になる。【００１１】  特別な機能を与えることができるあらゆる装置が、本発明の意味における機能装置とみなされる。【００１２】  本発明による輸送容器装置は、保持枠及び取付け枠の重要な構造素子を変える必要なしに、ドイツ連邦共和国特許出願公開第１０１３２０８１号明細書から公知の導入−揺動運動の原理を、保持枠に対する輸送容器が引受けるのを可能にする。【００１３】  本発明の別の利点は、図面に示されている実施例の以下の説明から明らかになる。
【発明を実施するための最良の形態】
【００１４】  図において全体に符号１０を付けた輸送容器装置を、ドイツ連邦共和国特許出願公開第１０１３２０８１号明細書の図１２に相当する図４の実施例に基いてまず説明する。反覆を避けるため、ドイツ連邦共和国特許出願公開第１０１３２０８１号明細書の内容は本願の内容に含まれる。【００１５】  本発明による輸送箱装置１０は、自動車の後部座席背もたれの背もたれ構造１２に固定的に設けられている車両固定の保持枠１１を含んでいる。後部座席背もたれ１２は、自動車の荷物空間１３を乗客空間１４から分離している。【００１６】  背もたれ１２は、図２において更に右上方へ延びている。背もたれ構造の構成部分は概略的にのみ示されている。【００１７】  車両に固定して設けられた保持枠１１は、大体において長方形に構成されている。そのため２つの水平な枠辺及び図面には示されていない２つの垂直な枠片が設けられている。全体として保持枠１１は、輸送容器３６の導入に用いられるほぼ長方形の開口を包囲している。輸送容器３６も同様にほぼ長方形の取付け枠１５を持ち、この取付け枠の外側寸法は保持枠１１の内側寸法に合わされている。取付け枠１５の頭部範囲には、両方向矢印ｙの方向に沿って移動可能な掛け金素子２３が設けられて、保持枠１１の頭部範囲１８の凹所と共同作用する。掛け金素子２３は、つかみ凹所２５を経て接近可能で揺動可能な操作素子２４を介して操作可能である。【００１８】  ドイツ連邦共和国特許出願公開第１０１３２０８１号明細書に記載されているのと同様に、輸送容器３６は、揺動運動により、車両に固定した保持枠１１へ差込み可能である。このため図示してない揺動支持範囲が保持枠１１又は取付け枠１５に設けられて、輸送容器３６の差込み運動中に、例えば２２で示す揺動軸線の周りにおける輸送容器３６の揺動を可能にする。【００１９】  図４の実施例によれば、輸送容器３６はまず走行方向ｘとは逆向きに、揺動軸線２２の範囲にあって車両に固定した揺動支持範囲へ近づけられ、揺動軸線２２の周りに時計方向に揺動され、それから取付け枠１５の基部範囲１７の外周面２１が保持枠１１の基部範囲１９の内周面２０に当接する。面２０，２１が当接すると、掛け金素子２３がスナップ締めされるか、又は阻止位置へ移動されることができる。【００２０】  こうして輸送容器３６は車両側保持枠１１に取外し可能に固定される。【００２１】  輸送容器３６は、保持枠１５と共に輸送容器の収容空間３７を区画する前壁２６及び後壁２７を持っている。前壁２６は、範囲２９に設けられる揺動軸線の周りに揺動可能な蓋素子２９により形成されている。収容空間３７への接近を可能にするため、蓋素子２８従って前壁２６は、図４に示す位置から始まって、揺動軸線２９の周りに反時計方向に揺動可能である。このため蓋素子２８に付属する図示しない別の操作素子を設けることができ、この別の素子が図示しない別の掛け金素子と共同作用して、蓋素子２８を図４による阻止位置に拘束する。蓋素子にある操作素子は、特に取付け枠の頭部範囲１６に設けられ、従って揺動軸線２９から離れている。蓋素子２８は、その揺動軸線２９から遠い範囲を、取付け枠１５の頭部範囲１６に取外し可能に固定可能である。【００２２��  収容空間３７に面する蓋素子２８の側３０に、図４に概略的にのみ示す機能装置３１が設けられている。図１〜３は異なる機能装置を持つ異なる実施例を示している。【００２３】  図１は取付け枠１５を前からの斜視図で示している。明らかなように、取付け枠１５は４つの枠辺３２ａ，３２ｂ，３２ｃ，３２ｄを含んでいる。図１の実施例では、蓋素子２８はコップ保持体として構成され、コップ、碗、缶、びん等を収容する２つの収容部３３ａ，３３ｂを持っている。蓋素子２８は、大体において輸送容器３６の内部空間３７の幅と同じ高さに構成されている。従って図１による蓋素子２８は、輸送容器３６の幅Ｂに等しい高さｈを持っている。収容空間３７により与えられる全取付け場所はこのように最適に利用されるので、特に高く構成されるコップ保持体が可能になる。【００２４】  図１による蓋素子２８は、揺動軸線２９の周りに矢印Ｐの方向へ揺動可能に取付け枠１５に枢着されている。輸送容器３６の後壁２７には２つのプラスチック舌片３４ａ，３４ｂが取付けられて、荷重を受けても、従って収容部３３ａ，３３ｂに飲み物が設けられていても、後壁２７又は取付け枠１５への蓋素子２８の確実な保持を行う。舌片３４ａ，３４ｂの代わりに、対比可能な取付け素子が設けられて、後壁２７への取付けの代わりに、取付け枠１５に取付けられることもできる。【００２５】  図３の実施例は、本発明による輸送容器装置１０を示し、輸送容器３６は後からの斜視図で示されている。ここで指摘すべきことは、同じ又は対比可能な部分又は素子に関する限り、同じ符号が使用されていることである。【００２６】  図３の実施例では、蓋素子２８は輸送装置用担板として構成されている。取付け板３５は、２つのレール３８ａ，３８ｂを持つ移動装置により、車両の走行方向ｘに前方へ移動可能である。取付け板３５は例えばＤＶＤプレーヤとして構成されるが図３には示してない機能装置を担持することができる。機能装置は例えば付着テープ又は対比可能な取付け素子により取付け板３５に取付け可能である。【００２７】  図３に示すスクリーンは、揺動軸線４０の周りに揺動可能に取付け板３５に設けられている。【００２８】  図２に示す本発明による輸送容器装置１０の第４実施例は、取付け板３５が揺動軸線４１の周りに揺動可能に蓋素子２８に結合されている輸送容器３６を示している。スクリーン３９は再び揺動軸線４０の周りに揺動可能に取付け板３５上に設けられている。例えばＤＶＤプレーヤ又は演奏操作卓等により与えられる機能装置は、図２にも示されていない。しかしスクリーン３９は再び機能装置の構成部分である。【００２９】  図２及び３の実施例は、蓋素子２８に対する取付け板３５の移動を可能にする移動装置を示している。取付け板３５は取付け装置の固有の担持装置として構成可能なので、蓋素子２８は機能装置を間接的にのみ担持している。【００３０】  図２及び３の実施例は、更に車両の走行方向ｘに機能装置の移動を可能にする取付け板３５をそれぞれ示している。こうして利用者のために、機能装置の特に快適な作動位置が得られる。例えばスクリーン３９が図２及び３に示す使用位置にある時、後部座席の乗客はこのスクリーン３９をのぞき込むこと��できる。機能装置が例えば演奏操作卓として構成されている場合にも、このような移動可能性は有利と思われる。【００３１】  図示されていないけれども同様に、機能装置の取付け板用又は直接に機能装置用のこのような移動装置は、ほぼ垂直な方向又は車両横方向への移動も可能にする。【００３２】  本発明による輸送容器装置は、僅かな構造費でモジュールシステムの提供を可能にする。なぜならば、異なる機能装置のために、異なる蓋素子を設けさえすればよいからである。取付け枠も車両側に固定的に設けられる保持枠も、適合した構造を必要とすることなしに、異なる機能装置を持つ蓋素子のために使用することができる。
【図面の簡単な説明】
【００３３】
【図１】  コップ保持体を提供する蓋素子を持つ本発明による輸送容器装置の第１実施例を前からの斜視図で示す。
【図２】  蓋素子に揺動可能に設けられる別個の機能装置用取付け板又は担板を持つ蓋素子付きの本発明による輸送容器装置の第２実施例を後からの斜視図で示す。
【図３】  機能装置用取付け板の軸線方向移動用レール装置が付属している蓋素子付きの本発明による輸送容器装置の第３実施例を後からの斜視図で示す。
【図４】  取付け位置にある本発明による輸送容器装置の第４実施例を概略断面図で示す。
【符号の説明】
【００３４】  １０              車両用輸送容器装置
１１              保持枠
１５              取付け枠
２８              蓋素子
３６              輸送容器
【図１】
2005145456.tif 000003
【図２】
2005145456.tif 000004
【図３】
2005145456.tif 000005
【図４】
2005145456.tif 000006